(57)【要約】  ハウジング（２）に対して直線的に移動可能なプランジャー（３）を有する家具取付け具を開示する。前記プランジャーは、内ネジ（６）を有する第１のプランジャー部品（４）、及び、前記内ネジ（６）と相互作用する外ネジ（７）を有する第２のプランジャー部品（５）を有する。内ネジ（６）に対する外ネジ（７）の回転によって、プランジャーの長さを調節可能である。外ネジ（７）が内ネジ（６）から完全に螺着を解かれるのを防止する固定要素（８）が設けられている。【選択図】図１ａ
2016505099.tif 000002
【特許請求の範囲】
【請求項１】
ハウジング（２）に対して直線的に移動可能なプランジャー（３）を有する家具取付け具であって、前記プランジャーは、内ネジ（６）を有する第１のプランジャー部品（４）、及び、前記内ネジ（６）と相互作用する外ネジ（７）を有する第２のプランジャー部品（５）を備えており、外ネジ（７）が内ネジ（６）に対して螺着作用を及ぼすことによって前記プランジャーの長さを調節可能である、家具取付け具において、
前記外ネジ（７）が前記内ネジ（６）から最後まで螺着を解かれるのを防止する固定要素（８）が設けられている、ことを特徴とする家具取付け具。
【請求項２】
前記内ネジ（６）が、前記第１のプランジャー部品（４）の内側側面（２１）に配置されており、
前記固定要素（８）が、前記第１のプランジャー部品（４）の内側側面（２１）に配置されている、ことを特徴とする請求項１に記載の家具取付け具。
【請求項３】
前記固定要素（８）が、前記第１のプランジャー部品（４）に配置された一方向の弾性舌片の形態に設計されている、ことを特徴とする請求項１又は２に記載の家具取付け具。
【請求項４】
前記固定要素（８）が、前記第１のプランジャー部品（４）における押入れキャッチ材の形態に設計されている、ことを特徴とする請求項１又は２に記載の家具取付け具。
【請求項５】
前記固定要素（８）が、環の形態に設計されている、ことを特徴とする請求項１又は２に記載の家具取付け具。
【請求項６】
前記環は、前記第１のプランジャー部品（４）に配置され、
前記環の径（ｄ）は、前記外ネジ（７）の径（Ｄ）よりも小さい、ことを特徴とする請求項５に記載の家具取付け具。
【請求項７】
一方のネジ、好ましくは前記外ネジ（７）は、他方のネジ、好ましくは前記内ネジ（６）よりも短い、ことを特徴とする請求項１〜６のいずれか一項に記載の家具取付け具。
【請求項８】
前記第１のプランジャー部品（４）は、前記ハウジング（２）から離れるように方向付けられて設けられている、ことを特徴とする請求項１〜７のいずれか一項に記載の家具取付け具。
【請求項９】
前記プランジャー（３）は、マグネット（９）を有する、ことを特徴とする請求項１〜８のいずれか一項に記載の家具取付け具。
【請求項１０】
前記第１のプランジャー部品（４）、及び／又は、前記第２のプランジャー部品（５）、及び／又は、前記固定要素（８）が、プラスチック材料でできている、ことを特徴とする請求項１〜９のいずれか一項に記載の家具取付け具。
【請求項１１】
前記第１のプランジャー部品（４）は、一体品として形成され、好ましくは、前記固定要素（８）と一体品として形成されている、ことを特徴とする請求項１〜１０のいずれか一項に記載の家具取付け具。
【請求項１２】
前記第１のプランジャー部品（４）は、少なくとも１つのフィルム状ヒンジ（１０）を有しており、前記内ネジ（６）は、前記少なくとも１つのフィルム状ヒンジ（１０）を閉じたときに存在する、ことを特徴とする請求項１〜１１のいずれか一項に記載の家具取付け具。
【請求項１３】
前記少なくとも１つのフィルム状ヒンジ（１０）は、前記内ネジ（６）の長手軸（Ｘ）の方向に延びている、ことを特徴とする請求項１２に記載の家具取付け具。
【請求項１４】
前記少なくとも１つのフィルム状ヒンジ（１０）は、前記内ネジ（６）の長手軸（Ｘ）に対して横断するところの横断軸（Ｙ）の方向に延びている、ことを特徴とする請求項１２に記載の家具取付け具。
【請求項１５】
前記家具取付け具（１）は、移動可能なプランジャーを具備したダンパーユニットの形態で構成されている、ことを特徴とする請求項１〜１４のいずれか一項に記載の家具取付け具。
【請求項１６】
前記ダンパーユニットは、線形ダンパーの形態で設計されており、
好ましくは、前記線形ダンパーは、ダンパー流体（好ましくはオイル又はエアー）が提供された、ピストン／シリンダーを具備した流体ダンパーユニットの形態で構成されている、ことを特徴とする請求項１５に記載の家具取付け具。
【請求項１７】
前記家具取付け具（１）が、タッチ・ラッチ式ユニットの形態で構成されている、ことを特徴とする請求項１〜１６のいずれか一項に記載の家具取付け具。
【請求項１８】
請求項１〜１７のいずれか一項に記載の家具取付け具（１）を有する家具製品。
【発明の詳細な説明】
【技術分野】
【０００１】
本発明は、請求項１の前提部に記載の構成要素を有する家具取付け具に関する。
【背景技術】
【０００２】
問題とするタイプの家具取付け具(furniture fitting)は、ネジ連結によって長さを調節可能なプランジャーを有する。かかる取付け具の一例は、タッチ・ラッチ式のユニットであり、そのユニットは例えば、圧縮応力を付与されたバネ要素の助けを借りて家具部品を開くものである。
【０００３】
ドイツ公報ＤＥ  １０  ２００７  ０２２  ２６９  Ｂ４は、問題とするタイプの家具取付け具を開示する。そこでのプランジャーは二つのプランジャー部品を具備し、それらはネジ連結によって長さを調節することができる。しかしながら、仮に一方のプランジャー部品ができるだけ遠くへ螺着を解かれるならば、一方のプランジャー部品の内ネジ（雌ネジ）が他方のプランジャー部品の外ネジ（雄ネジ）ともはや相互作用しない事態となるであろう。二つのプランジャー部品がお互いから完全に解かれるのを防止するストップ材は存在するけれども、それは作動（動き）をずっと困難にする。これは、ネジ連結を再構築するためには、先ずは内ネジが正しく位置決めされて外ネジに螺着されることが、常に必要だからであり、このことは、二つのネジのどちらもユーザー（使用者）にとっては見えないという事実によって、更に困難にされるからである。
【０００４】
加えて、例えば、ストップ材による外側プランジャー部品の、動きに誘発された歪曲が、内ネジの外ネジへの螺着をより困難にするか又は不可能にさえする、ということがあり得る。更に、ネジ連結を解く可能性は、相対的に複雑な構造を生じさせる。
【０００５】
国際公開ＷＯ  ２０１２／１２８７３０  Ａ２は、内ネジを有する第１のプランジャー部品と、外ネジ（前記内ネジと相互作用するもの）を有する第２のプランジャー部品とを同様に備えた家具取付け具を開示する。二つのプランジャー部品がお互いから解かれ得る状況を防止するために、拘束器（アレスター）が設けられており、第１のプランジャー部品から始まる当該拘束器は、第２のプランジャー部品を通り抜けて後者（第２のプランジャー部品）に突出し、そこで拘束器の一部が広げられる。この広げられた部分は、拘束器が第２のプランジャー部品の外に抜け出るのを防止する。この複雑な構成は、明らかに改良可能である。特に、そのような家具取付け具の製造の際に、拘束器が第１のプランジャー部品に接続され得る前に、先ずは拘束器が第２のプランジャー部品内に配置されることが必要である。しかしながら、このような結合（連結）は、二つのプランジャー部品が適切な位置にアクセスすることを困難にするため、一筋縄で確立できるものではない。
【先行技術文献】
【特許文献】
【０００６】
【特許文献１】ドイツ公報ＤＥ  １０  ２００７  ０２２  ２６９  Ｂ４
【特許文献２】国際公開ＷＯ  ２０１２／１２８７３０  Ａ２
【発明の概要】
【発明が解決しようとする課題】
【０００７】
本発明の目的は、長さ調節可能なプランジャーが簡素な構成を有し、且つ簡素で信頼性の高い作動をするところの、長さ調節可能なプランジャーを備えた家具取付け具を提供することにある。
【課題を解決するための手段】
【０００８】
この目的は、請求項１の特徴を有する家具取付け具によって達成される。これは、外ネジが内ネジから最後まで螺着解除されるのを防止する固定要素(securing element)を設けることによって達成される。換言すれば、プランジャーの長さ調節は、保証される時間中、全てのポイントでの外ネジと内ネジの相互作用によって容易になる。
【０００９】
本発明更なる態様は、従属請求項に定義されている。
【００１０】
好ましい実施形態では、固定要素が、第１のプランジャー部品の内側側面に配置されると共に、内ネジもまた、前記内側側面に配置されてもよい。
【００１１】
特に、固定要素が、第１のプランジャー部品に配置された一方向の弾性舌片(one-way resilient tongue)の形態に設計されることで、家具取付け具の簡潔な取り付けが達成され得る。
【００１２】
固定要素が第１のプランジャー部品における押入れキャッチ材(push-in catch)の形態に設計されることで、プランジャー部品間の信頼できる接続が達成され得る。
【００１３】
好ましい実施形態の一つは、固定要素がカラー（環）の形態に設計されるというものである。このことは、第１のプランジャー部品の製造、ひいては家具取付け具の製造を簡素化する。
【００１４】
前述の環が第１のプランジャー部品に配置され、環の径が外ネジの外径よりも小さいならば、特に効果的であろう。
【００１５】
摩擦を低減するために、及び、美観上の理由により、一方のネジ、−好ましくは外ネジ−が、他方のネジ、−好ましくは内ネジ−よりも短くてもよい。
【００１６】
同様に、第１のプランジャー部品がハウジングから離れるように方向付けられて設けられるならば、光学的に有利であろう。
【００１７】
特にコスト上効果的な製造のために、第１のプランジャー部品、第２のプランジャー部品、又は、固定要素が、プラスチック材料で製造されてもよい。
【００１８】
第１のプランジャー部品が一体品(one piece)として形成され、好ましくは、固定要素と共に一体品として形成されるならば、簡素で効率的な製造に有益であろう。
【００１９】
特に、第１のプランジャー部品が射出成形で製造されるときには、「第１のプランジャー部品が少なくとも１つのフィルム状ヒンジを有しており、前記内ネジが、前記少なくとも１つのフィルム状ヒンジを閉じたときに存在するもの」であってもよい。第１のプランジャー部品は、開き状態で射出成形されることができ、その結果として、純粋なネジ成形に含まれる長いサイクルタイムが避けられる。
【００２０】
材料の消費をできるだけ低いレベルに保つために、前記少なくとも１つのフィルム状ヒンジは、内ネジの長手軸の方向に延びるか、又は、内ネジの長手軸に対して横断するところの横断軸の方向に延びることができる。
【００２１】
例えばドアの、とりわけソフトな閉鎖（柔らかい閉じ動作）を保証するために、家具取付け具は、移動可能なプランジャーを具備したダンパーユニットの形態で構成されてもよい。特に好ましい実施形態は、ダンパーユニットが線形ダンパーの形態で設計されるものであり、好ましくは、前記線形ダンパーは、ダンパー流体（好ましくはオイル又はエアー）が提供された、ピストン／シリンダーを具備した流体ダンパーユニットの形態で構成されている。
【００２２】
しかしながら、原理的には、家具取付け具を、バネユニット、又は、バネ／ダンパーの組み合わせの形態で構成することもまた可能である。
【００２３】
タッチ・ラッチ式ユニットの形態での、その他の停止ダンパーを提供することも好まししい、というのも、これらは、特に便利な動作を許容するからである。この場合において、「ラッチ」機能が、マグネットを有するプランジャーによって単刀直入に実施され得ることは特に好ましい。
【００２４】
保護は、本発明に従う家具取付け具を有する家具製品にももたらされる。
【００２５】
本発明の更なる利点および詳細は、図面、及び、各図の関連説明からもたらされる。
【図面の簡単な説明】
【００２６】
【図１ａ】図１ａ〜１ｄは、本発明に従うタッチ・ラッチ式ユニットの断面図および斜視図を示す。
【図１ｂ】図１ａ〜１ｄは、本発明に従うタッチ・ラッチ式ユニットの断面図および斜視図を示す。
【図１ｃ】図１ａ〜１ｄは、本発明に従うタッチ・ラッチ式ユニットの断面図および斜視図を示す。
【図１ｄ】図１ａ〜１ｄは、本発明に従うタッチ・ラッチ式ユニットの断面図および斜視図を示す。
【図２ａ】図２ａ，２ｂは、本発明に従うダンパーユニットの断面図を示す。
【図２ｂ】図２ａ，２ｂは、本発明に従うダンパーユニットの断面図を示す。
【図３ａ】図３ａ〜３ｄは、本発明に従う第１のプランジャー部品の第２実施形態の各種図を示す。
【図３ｂ】図３ａ〜３ｄは、本発明に従う第１のプランジャー部品の第２実施形態の各種図を示す。
【図３ｃ】図３ａ〜３ｄは、本発明に従う第１のプランジャー部品の第２実施形態の各種図を示す。
【図３ｄ】図３ａ〜３ｄは、本発明に従う第１のプランジャー部品の第２実施形態の各種図を示す。
【図４ａ】図４ａ〜４ｆは、本発明に従う第１のプランジャー部品の第３実施形態の各種図を示す。
【図４ｂ】図４ａ〜４ｆは、本発明に従う第１のプランジャー部品の第３実施形態の各種図を示す。
【図４ｃ】図４ａ〜４ｆは、本発明に従う第１のプランジャー部品の第３実施形態の各種図を示す。
【図４ｄ】図４ａ〜４ｆは、本発明に従う第１のプランジャー部品の第３実施形態の各種図を示す。
【図４ｅ】図４ａ〜４ｆは、本発明に従う第１のプランジャー部品の第３実施形態の各種図を示す。
【図４ｆ】図４ａ〜４ｆは、本発明に従う第１のプランジャー部品の第３実施形態の各種図を示す。
【図５ａ】図５ａ〜５ｄは、本発明に従う第１のプランジャー部品の第４実施形態を示す。
【図５ｂ】図５ａ〜５ｄは、本発明に従う第１のプランジャー部品の第４実施形態を示す。
【図５ｃ】図５ａ〜５ｄは、本発明に従う第１のプランジャー部品の第４実施形態を示す。
【図５ｄ】図５ａ〜５ｄは、本発明に従う第１のプランジャー部品の第４実施形態を示す。
【図６ａ】図６ａ〜６ｄは、第４実施形態の第１のプランジャー部品の取付けの説明図を示す。
【図６ｂ】図６ａ〜６ｄは、第４実施形態の第１のプランジャー部品の取付けの説明図を示す。
【図６ｃ】図６ａ〜６ｄは、第４実施形態の第１のプランジャー部品の取付けの説明図を示す。
【図６ｄ】図６ａ〜６ｄは、第４実施形態の第１のプランジャー部品の取付けの説明図を示す。
【図７ａ】図７ａ〜７ｅは、本発明に従う第１のプランジャー部品の第５実施形態の各種図を示す。
【図７ｂ】図７ａ〜７ｅは、本発明に従う第１のプランジャー部品の第５実施形態の各種図を示す。
【図７ｃ】図７ａ〜７ｅは、本発明に従う第１のプランジャー部品の第５実施形態の各種図を示す。
【図７ｄ】図７ａ〜７ｅは、本発明に従う第１のプランジャー部品の第５実施形態の各種図を示す。
【図７ｅ】図７ａ〜７ｅは、本発明に従う第１のプランジャー部品の第５実施形態の各種図を示す。
【図８ａ】図８ａ〜８ｌは、第５実施形態の第１のプランジャー部品の取付けに関する各種図を示す。
【図８ｂ】図８ａ〜８ｌは、第５実施形態の第１のプランジャー部品の取付けに関する各種図を示す。
【図８ｃ】図８ａ〜８ｌは、第５実施形態の第１のプランジャー部品の取付けに関する各種図を示す。
【図８ｄ】図８ａ〜８ｌは、第５実施形態の第１のプランジャー部品の取付けに関する各種図を示す。
【図８ｅ】図８ａ〜８ｌは、第５実施形態の第１のプランジャー部品の取付けに関する各種図を示す。
【図８ｆ】図８ａ〜８ｌは、第５実施形態の第１のプランジャー部品の取付けに関する各種図を示す。
【図８ｇ】図８ａ〜８ｌは、第５実施形態の第１のプランジャー部品の取付けに関する各種図を示す。
【図８ｈ】図８ａ〜８ｌは、第５実施形態の第１のプランジャー部品の取付けに関する各種図を示す。
【図８ｉ】図８ａ〜８ｌは、第５実施形態の第１のプランジャー部品の取付けに関する各種図を示す。
【図８ｋ】図８ａ〜８ｌは、第５実施形態の第１のプランジャー部品の取付けに関する各種図を示す。
【図８ｌ】図８ａ〜８ｌは、第５実施形態の第１のプランジャー部品の取付けに関する各種図を示す。
【図９】図９は、図１のタッチ・ラッチ式ユニットの分解斜視図を示す。
【図１０】図１０は、本発明に従うタッチ・ラッチ式ユニットを有する家具製品を示す。
【発明を実施するための形態】
【００２７】
図１ａ及び１ｂは、本発明に従うタッチ・ラッチ式ユニットの断面図である。この家具取付け具１は、ハウジング２と、プランジャー３とを有している。プランジャー３は順に、第１のプランジャー部品４及び第２のプランジャー部品５を備え、これらは、プランジャー３の長さ調節のために、内ネジ６及びそれと相互作用する外ネジ７によって互いに接続されている。図１ａは、完全にねじ込まれた状態のプランジャー３を示す。図１ｂでは、第１のプランジャー部品４が垂直方向にねじ込みを解かれて最後まで外に出ている。ここで、ネジ連結（螺合関係）の解除は、固定要素８によって防止される。
【００２８】
マグネット９を固着する目的で、及び、外観上の理由で、スリーブ１１が第１のプランジャー部品４上に配置されている。
【００２９】
二つの斜視図が続き、図１ｃは図１ａに対応し、図１ｄは図１ｂに対応する。これ以後、対応する部材は同じ参照番号を有する。
【００３０】
図２ａは、本発明に従うダンパーユニットを描写し、固定要素８が再び、内ネジ６の端部にカラー（環）の形態で構成されている。特に図２ｂの詳細図では、カラー（環）の内径ｄが外ネジの外径Ｄよりも小さいことが観察でき、それによって外ネジは、内ネジの外に最後までねじ込みを解かれることが防止される。
【００３１】
各図に示す全ての実施形態の場合において、内ネジ６は、第１のプランジャー部品４の内側の横面（側面）２１に配置されている。同様に、固定要素８が内側の横面（側面）２１に配置されているという事実は、全ての実施形態に共通である。図２ｂは、概略的に、内側の横面（側面）２１を示すために破線を使用している。
【００３２】
図３ａ〜３ｄは、今回、フィルム状ヒンジ１０を持った第１のプランジャー部品の第２実施形態を示す。図３ａ及び３ｃは、フィルム状ヒンジが開いた位置での第１のプランジャー部品を示し、図３ｂ及び３ｄは、フィルム状ヒンジが閉じた位置を示す。この実施形態では、フィルム状ヒンジは長手軸Ｘと平行に延びている。
【００３３】
図４ａ〜４ｆは、第１のプランジャー部品４の第３実施形態の様々な図を示し、その場合において、フィルム状ヒンジ１０は横断軸Ｙに沿って延びている。横断軸Ｙは、仮想的な長手軸Ｘに対して横断している。図４ｃは、図４ｂに示された平面Ｄに沿った断面図である。同様に、図４ｄは、図４ｅに示された平面Ｃでの断面図である。
【００３４】
図５ａ〜５ｄは更に別の実施形態を示し、そこでは、固定要素８が、一方向の弾性舌片の形態で構成されている。図５ｄは、図５ｃからの拡大図である。図６ａ〜６ｄは、この実施形態の取付け状況を示す。ねじ込み作用時（図６ａ、及び、図６ｂの詳細図を参照）、一方向の弾性舌片は、外ネジ７が通過するまで、第２のプランジャー部品５によって後ろに曲げられる。それから外ネジ７と内ネジ６が係合する。しかし、その後、もはや解除できなくなる、というのも、双方のネジが最後まで螺合を解かれたときでも弾性舌片がスプリングバックせず、この動きをブロック（阻止）するように、一方向の弾性舌片が構成されているからである。
【００３５】
図７ａ〜７ｅは、第１のプランジャー部品の第５実施形態を示す。固定要素８は、押入れキャッチ材(push-in catch)の形態に設計されている。その取付け状況が図８ａ〜８ｌに示されている。キャッチ材がまだ押し入れられない状態で、第１のプランジャー部品が第２のプランジャー部品と一つにまとめられる。外ネジが内ネジ内にねじ込まれると（図８ａ〜８ｆ）、キャッチ材が押し入れられ（特に図８ｋ，８ｌ参照）、完全な螺合解除をブロック（阻止）する。
【００３６】
図９の分解図は、図１ａ〜１ｄから知られるところのタッチ・ラッチ式ユニットを示す。既に知られている部品と平行して、この図は、第１のバネ１６、第２のバネ１７、プロファイル部品１５、レバー１２およびハウジング閉じ具１４を示し、このハウジング閉じ具１４に対してレバー１２がボルト１３で接続される。タッチ・ラッチ機能は、第１のバネ１６が圧縮応力を与えられると共に、レバー１２がプロファイル部品１５のプロファイル（輪郭）に係合することのおかげで、実行される。タッチ・ラッチ式ユニットが、閉じて圧縮応力を与えられた位置にあるならば、第２のバネ１７は、プランジャーがほんの小さな力で引っ張り作用を受けたとしても、タッチ・ラッチ式ユニットがトリガー（動作開始）されるのを防止する。特に家具のドアがハードに（乱暴に）閉められた場合に、これは、ドアが再び自発的に開くのを防止する。
【００３７】
図１０は、本発明に従う家具取付け具１を有する家具製品２０を示す。ここでの家具取付け具１は、マグネット９を備えたタッチ・ラッチ式ユニットの形態で構成されている。マグネットの相手方部品１８は、家具製品のドアに配置されて、マグネット９と相互作用し、結果的にタッチ・ラッチ式ユニットの閉じ保持機能が実現される。
【００３８】
本発明は、現在の例示的な実施形態に限定されるものではない。特に、本発明に従う停止ダンパーを、家具製品のドア以外のドア類に使用することも可能である。同様に、内ネジを、ハウジングの方向に配向されたプランジャー部品上に配置することも可能である。
【図１ａ】
2016505099.tif 000003
【図１ｂ】
2016505099.tif 000004
【図１ｃ】
2016505099.tif 000005
【図１ｄ】
2016505099.tif 000006
【図２ａ】
2016505099.tif 000007
【図２ｂ】
2016505099.tif 000008
【図３ａ】
2016505099.tif 000009
【図３ｂ】
2016505099.tif 000010
【図３ｃ】
2016505099.tif 000011
【図３ｄ】
2016505099.tif 000012
【図４ａ】
2016505099.tif 000013
【図４ｂ】
2016505099.tif 000014
【図４ｃ】
2016505099.tif 000015
【図４ｄ】
2016505099.tif 000016
【図４ｅ】
2016505099.tif 000017
【図４ｆ】
2016505099.tif 000018
【図５ａ】
2016505099.tif 000019
【図５ｂ】
2016505099.tif 000020
【図５ｃ】
2016505099.tif 000021
【図５ｄ】
2016505099.tif 000022
【図６ａ】
2016505099.tif 000023
【図６ｂ】
2016505099.tif 000024
【図６ｃ】
2016505099.tif 000025
【図６ｄ】
2016505099.tif 000026
【図７ａ】
2016505099.tif 000027
【図７ｂ】
2016505099.tif 000028
【図７ｃ】
2016505099.tif 000029
【図７ｄ】
2016505099.tif 000030
【図７ｅ】
2016505099.tif 000031
【図８ａ】
2016505099.tif 000032
【図８ｂ】
2016505099.tif 000033
【図８ｃ】
2016505099.tif 000034
【図８ｄ】
2016505099.tif 000035
【図８ｅ】
2016505099.tif 000036
【図８ｆ】
2016505099.tif 000037
【図８ｇ】
2016505099.tif 000038
【図８ｈ】
2016505099.tif 000039
【図８ｉ】
2016505099.tif 000040
【図８ｋ】
2016505099.tif 000041
【図８ｌ】
2016505099.tif 000042
【図９】
2016505099.tif 000043
【図１０】
2016505099.tif 000044
【国際調査報告】
2016505099.tif 000045
2016505099.tif 000046
2016505099.tif 000047
2016505099.tif 000048